(57)【要約】【課題】  同一の情報が重複して共有されることを防止し、情報を必要とする人間に素早く届けることのできるシステムを提供すること。【解決手段】  インターネットを介して発信された情報を共有するための情報共有システムであって、ウェブページを特定するページ情報を含む投稿情報の入力を受け付けて登録する投稿手段と、前記ウェブページに関する情報を提示する閲覧画面を表示する為に、登録済みの前記投稿情報を表示処理する表示手段と、入力されたページ情報及び登録済みの前記投稿情報に含まれるページ情報を用いて、入力された前記投稿情報の登録の可否を判定する判定手段と、を備え、前記投稿手段は、前記判定手段の判定結果に基づいて、前記投稿情報の登録を行うことを特徴とする。【選択図】図１
2019194771.tif 000002
【特許請求の範囲】
【請求項１】
インターネットを介して発信された情報を共有するための情報共有システムであって、
ウェブページを特定するページ情報を含む投稿情報の入力を受け付けて登録する投稿手段と、
前記ウェブページに関する情報を提示する閲覧画面を表示する為に、登録済みの前記投稿情報を表示処理する表示手段と、
入力されたページ情報及び登録済みの前記投稿情報に含まれるページ情報を用いて、入力された前記投稿情報の登録の可否を判定する判定手段と、を備え、
前記投稿手段は、前記判定手段の判定結果に基づいて、前記投稿情報の登録を行うことを特徴とする、情報共有システム。
【請求項２】
前記判定手段は、入力されたページ情報と登録済みの前記投稿情報に含まれるページ情報とが異なる場合に、入力された投稿情報の登録が可であると判定することを特徴とする、請求項１に記載の情報共有システム。
【請求項３】
前記投稿情報は、前記ページ情報としてウェブページのＵＲＩを含むことを特徴とする、請求項１又は請求項２に記載の情報共有システム。
【請求項４】
前記判定手段は、入力されたページ情報及び登録済みの前記投稿情報に含まれるページ情報が実質的に同一とみなせる場合には、入力された投稿情報の登録が不可であると判定することを特徴とする、請求項１〜３の何れかに記載の情報共有システム。
【請求項５】
登録済みの前記投稿情報は、登録された日を示す登録日情報を含み、
前記判定手段は、登録済みの前記投稿情報のうち、所定期間内に登録された投稿情報を用いて前記判定を行うことを特徴とする、請求項１〜４の何れかに記載の情報共有システム。
【請求項６】
前記登録日情報は、登録の時刻を含み、
前記判定手段は、前記登録の時刻に基づいて前記判定を行うことを特徴とする、請求項５に記載の情報共有システム。
【請求項７】
前記投稿情報は、予め設定されたカテゴリの中から、ウェブページの内容に基づいて選択されるカテゴリ情報を含み、
前記判定手段は、入力された前記投稿情報に含まれるページ情報及びカテゴリ情報のうち少なくとも何れかが、登録済みの前記投稿情報と異なる場合に当該投稿情報の登録が可であると判定することを特徴とする、請求項１〜６の何れかに記載の情報共有システム。
【請求項８】
インターネットを介して発信された情報を共有するための情報共有サーバであって、
ウェブページを特定するページ情報を含む投稿情報の入力を受け付けて登録する投稿手段と、
前記ウェブページに関する情報を提示する閲覧画面を表示する為に、登録済みの前記投稿情報を表示処理する表示手段と、
入力されたページ情報及び登録済みの前記投稿情報に含まれるページ情報を用いて、入力された前記投稿情報の登録の可否を判定する判定手段と、を備え、
前記投稿手段は、前記判定手段の判定結果に基づいて、前記投稿情報の登録を行うことを特徴とする、情報共有サーバ。
【請求項９】
インターネットを介して発信された情報を共有するための情報共有プログラムであって、
コンピュータを、ウェブページを特定するページ情報を含む投稿情報の入力を受け付けて登録する投稿手段と、
前記ウェブページに関する情報を提示する閲覧画面を表示する為に、登録済みの前記投稿情報を表示処理する表示手段と、
入力されたページ情報及び登録済みの前記投稿情報に含まれるページ情報を用いて、入力された前記投稿情報の登録の可否を判定する判定手段と、として機能させ、
前記投稿手段は、前記判定手段の判定結果に基づいて、前記投稿情報の登録を行うことを特徴とする、情報共有プログラム。
【発明の詳細な説明】
【技術分野】
【０００１】
本発明は、インターネットを介して発信された情報を迅速に共有するための情報共有システムに関する。
【背景技術】
【０００２】
インターネットを介して情報を共有する掲示板や電子ニュース等について、様々な技術が知られている。例えば、特許文献１には、投稿内容が更新されると、更新前の内容にアクセスした人に対してその旨を通知する、ネットワークを介した投稿記事の更新方法が記載されている。
【先行技術文献】
【特許文献】
【０００３】
【特許文献１】特開２００５−３３２２６２号公報
【発明の概要】
【発明が解決しようとする課題】
【０００４】
このように、インターネットを介して日々大量の情報が発信されている。しかしその価値は玉石混淆であり、有用な情報が無用な情報に埋没してしまっており、必要な情報を得るのが容易ではないという課題があった。
【０００５】
また、情報の価値においてはその新しさがきわめて重要であり、発信された時点では有用な情報であっても、その伝達に時間がかかると無意味なものになってしまう場合がある。従って、価値ある情報を、それを必要とする人間に素早く共有する方法が必要とされていた。
【０００６】
本発明は、上記のような実情に鑑みてなされたものであり、同一の情報が重複して共有されることを防止し、情報を必要とする人間に素早く届けることのできるシステムを提供することを課題とする。
【課題を解決するための手段】
【０００７】
上記課題を解決するために、本発明は、インターネットを介して発信された情報を共有するための情報共有システムであって、
ウェブページを特定するページ情報を含む投稿情報の入力を受け付けて登録する投稿手段と、
前記ウェブページに関する情報を提示する閲覧画面を表示する為に、登録済みの前記投稿情報を表示処理する表示手段と、
入力されたページ情報及び登録済みの前記投稿情報に含まれるページ情報を用いて、入力された前記投稿情報の登録の可否を判定する判定手段と、を備え、
前記投稿手段は、前記判定手段の判定結果に基づいて、前記投稿情報の登録を行うことを特徴とする。
【０００８】
このように、入力されたページ情報及び登録済みの投稿情報に含まれるページ情報を用いて、入力された投稿情報の登録の可否を判定することで、同じウェブページに関する投稿が重複して行われることを防ぐことができる。これにより、同じ内容を共有する投稿が大量にされることで有用な情報が埋もれてしまうリスクを低減することができる。
【０００９】
本発明の好ましい形態では、前記判定手段は、入力されたページ情報と登録済みの前記投稿情報に含まれるページ情報とが異なる場合に、入力された投稿情報の登録が可であると判定することを特徴とする。
【００１０】
本発明の好ましい形態では、前記投稿情報は、前記ページ情報としてウェブページのＵＲＩを含むことを特徴とする。
このように、ページ情報としてウェブページのＵＲＩを用いることで、ウェブページを一意に特定できる。また、ページ情報を含む投稿情報に基づいて表示される閲覧画面において、ウェブページへのリンクを提供することができる。
【００１１】
本発明の好ましい形態では、前記判定手段は、入力されたページ情報及び登録済みの前記投稿情報に含まれるページ情報が実質的に同一とみなせる場合には、入力された投稿情報の登録が不可であると判定することを特徴とする。
このように、実質的には同じウェブページを特定するページ情報が登録済みの場合には、入力された投稿情報の登録が不可であると判定することにより、一部が異なるだけで実質的には同じウェブページを特定するページ情報が重複して投稿されることを防ぐことができる。即ち、同じウェブページに関する投稿の重複をより確実に防ぐことができる。
【００１２】
本発明の好ましい形態では、登録済みの前記投稿情報は、登録された日を示す登録日情報を含み、
前記判定手段は、登録済みの前記投稿情報のうち、所定期間内に登録された投稿情報を用いて前記判定を行うことを特徴とする。
このように、所定期間内に登録された投稿情報を用いて、入力された投稿情報の登録の可否を判定することにより、投稿から所定期間経過後のページ情報については、他のユーザによる再投稿が可能になる。つまり、登録済みの投稿情報が他の投稿情報を排除できる期間に上限を設けることにより、情報が共有される機会を増やすことができる。例えば、ユーザが他のユーザをフォローして、フォロー中のユーザの投稿を閲覧する構成をとる場合に、人気のない（フォロワーの少ない）ユーザに投稿されることによって、有用な情報が埋もれてしまう等の弊害を防ぐことができる。
【００１３】
本発明の好ましい形態では、前記登録日情報は、登録の時刻を含み、
前記判定手段は、前記登録の時刻に基づいて前記判定を行うことを特徴とする。
このように、登録日情報として登録の時刻を含むことにより、各投稿情報が所定期間内に登録されたか否かを、時刻に基づいてより詳細に判定することができる。また、数時間〜数日程度の短い期間を所定期間として設定することが可能になる。
【００１４】
本発明の好ましい形態では、前記投稿情報は、予め設定されたカテゴリの中から、ウェブページの内容に基づいて選択されるカテゴリ情報を含み、
前記判定手段は、入力された前記投稿情報に含まれるページ情報及びカテゴリ情報のうち少なくとも何れかが、登録済みの前記投稿情報と異なる場合に当該投稿情報の登録が可であると判定することを特徴とする。
このように、ページ情報が同一であっても、カテゴリ情報が異なる場合には投稿情報を登録することにより、同じウェブページを異なる趣旨で投稿することができるようになり、様々な視点から情報の共有を促すことができる。また、投稿者によって不適切なカテゴリ情報が選択されることにより情報の伝達が阻害される等の弊害を防ぐことができる。
【００１５】
本発明は、インターネットを介して発信された情報を共有するための情報共有サーバであって、
ウェブページを特定するページ情報を含む投稿情報の入力を受け付けて登録する投稿手段と、
前記ウェブページに関する情報を提示する閲覧画面を表示する為に、登録済みの前記投稿情報を表示処理する表示手段と、
入力されたページ情報及び登録済みの前記投稿情報に含まれるページ情報を用いて、入力された前記投稿情報の登録の可否を判定する判定手段と、を備え、
前記投稿手段は、前記判定手段の判定結果に基づいて、前記投稿情報の登録を行うことを特徴とする。
【００１６】
本発明は、インターネットを介して発信された情報を共有するための情報共有プログラムであって、
コンピュータを、ウェブページを特定するページ情報を含む投稿情報の入力を受け付けて登録する投稿手段と、
前記ウェブページに関する情報を提示する閲覧画面を表示する為に、登録済みの前記投稿情報を表示処理する表示手段と、
入力されたページ情報及び登録済みの前記投稿情報に含まれるページ情報を用いて、入力された前記投稿情報の登録の可否を判定する判定手段と、として機能させ、
前記投稿手段は、前記判定手段の判定結果に基づいて、前記投稿情報の登録を行うことを特徴とする。
【発明の効果】
【００１７】
同一の情報が重複して共有されることを防止し、情報を必要とする人間に素早く届けることが可能なシステムが提供できる。
【図面の簡単な説明】
【００１８】
【図１】本発明の一実施形態における情報共有システムの機能ブロック図である。
【図２】本発明の一実施形態における投稿情報の一例を示す図である。
【図３】本発明の一実施形態における投稿情報の登録に係る処理の流れを示すフローチャートである。
【図４】本発明の一実施形態における新規投稿画面の表示例を示す図である。
【図５】本発明の一実施形態における投稿情報の登録可否の判定に係る処理の流れを示すフローチャートである。
【図６】本発明の一実施形態における新規投稿画面のエラーの表示例である。
【図７】本発明の一実施形態における投稿の閲覧画面の表示例を示す図である。
【図８】本発明の一実施形態における投稿のランキング画面の表示例を示す図である。
【図９】本発明の一実施形態における新着投稿表示画面の表示例を示す図である。
【図１０】本発明の一実施形態におけるユーザ画面の表示例を示す図である。
【図１１】本発明の一実施形態におけるタイムライン画面の表示例を示す図である。
【発明を実施するための形態】
【００１９】
以下、図面を参照して本発明の一実施形態について詳細に説明する。なお、以下に示す実施形態は本発明の一例であり、本発明を以下の実施形態に限定するものではなく、様々な構成を採用することもできる。例えば、本実施形態では情報共有システムの構成、動作等について説明するが、同様の構成の方法、サーバ装置、コンピュータプログラム、記録媒体等も、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２０】
本発明は、ウェブページに関するユーザからの投稿を管理し、情報を共有するためのシステムに関する。本実施形態においては、ウェブページを特定するページ情報として、ウェブページのＵＲＩ（Ｕｎｉｆｏｒｍ  Ｒｅｓｏｕｒｃｅ  Ｉｄｅｎｔｉｆｉｅｒ）の入力をユーザから受け付け、ページ情報を含む投稿情報を登録する。ページ情報としては、この他にも、ウェブページを一意に特定することができる任意の情報を用いてよい。
【００２１】
本実施形態における情報共有システムは、他のユーザによる投稿を閲覧したユーザから投稿に対する「感謝」を受け付ける。本実施形態において「感謝」とは、投稿を閲覧したユーザが、当該投稿に対する謝意を表すものであり、各投稿について「感謝」の数がカウントされる。「感謝」の数は投稿に対する他のユーザからの評価ととらえることができ、投稿に対する定量的な評価指標として用いることができる。本実施形態においては、後述の閲覧画面を介してユーザが「感謝ボタン」を操作すること等により、投稿に対する感謝が受け付けられる。
【００２２】
図１は、本実施形態における情報共有システムの機能構成を示す図である。ここに示すように、本実施形態における情報共有システムは、投稿情報を管理する情報共有サーバ１と、ユーザによって使用され、投稿の閲覧等を行う為の端末装置２と、がネットワークＮＷを介して通信可能に構成される。なお、図１においてはひとつの情報共有サーバ１と複数の端末装置２とがネットワークＮＷを介して接続される構成を示したが、本発明はこれに限るものではなく、例えば、複数のサーバ装置を協働させることにより、情報共有サーバ１の機能構成を実現するような構成としてもよい。
【００２３】
情報共有サーバ１としては、ＣＰＵ（Ｃｅｎｔｒａｌ  Ｐｒｏｃｅｓｓｉｎｇ  Ｕｎｉｔ）等の演算装置、ＲＡＭ（Ｒａｎｄｏｍ  Ａｃｃｅｓｓ  Ｍｅｍｏｒｙ）等の主記憶装置、フラッシュメモリやＳＳＤ（Ｓｏｌｉｄ  Ｓｔａｔｅ  Ｄｒｉｖｅ）、ＨＤＤ（Ｈａｒｄ  Ｄｉｓｋ  Ｄｒｉｖｅ）等の補助記憶装置、ネットワークＮＷへの接続手段を含む種々の入出力装置等を備えた、サーバ機器等の一般的なコンピュータ装置を利用することができる。より詳細には、補助記憶装置に予め、あるいは記録媒体からの複製等によって、後述する各手段として情報共有サーバ１を動作させるための情報共有プログラムを格納しておき、情報共有プログラムを主記憶装置上に展開して演算装置による演算を行い、入出力手段の制御等を行うことで、コンピュータ装置を本実施形態に係る情報共有システムにおける情報共有サーバ１として利用することができる。
【００２４】
また、端末装置２としては、演算装置、主記憶装置、補助記憶装置、ネットワークＮＷへの接続手段、種々の入出力装置等を備えた、一般的なコンピュータ装置を利用することができる。本実施形態においてはスマートフォンを端末装置２として用いる構成を例示するが、この他、ＰＣ（Ｐｅｒｓｏｎａｌ  Ｃｏｍｐｕｔｅｒ）やタブレット端末等、任意のコンピュータ装置を用いてよい。具体的には、例えば、コンピュータ装置の備えるウェブブラウザプログラムを用いてウェブページの情報についての投稿に関する入出力を行い、端末装置を本実施形態に係る情報共有システムにおける端末装置２として機能させることができる。この他には、各種の入出力を行うための専用のアプリケーションソフトをインストールすることにより、コンピュータ装置を本実施形態に係る情報共有システムにおける端末装置２として利用する構成としてもよい。
【００２５】
本実施形態における情報共有サーバ１は、投稿手段１１と、判定手段１２と、表示手段１３と、記憶手段１４と、を備える。投稿手段１１は、端末装置２を介してユーザから投稿情報の入力を受け付けて、判定手段１２による判定結果に基づいて投稿情報を登録する。
【００２６】
判定手段１２は、入力された投稿情報に含まれるページ情報と登録済みの投稿情報に含まれるページ情報とを比較し、入力された投稿情報の登録の可否を判定する。本実施形態においては、入力されたページ情報と登録済みの投稿情報に含まれるページ情報とが異なる場合に、入力された投稿情報の登録が可であると判定する。
【００２７】
ここで、本実施形態においては、双方のページ情報が完全に同一でなくとも、実質的に同一のものであるとみなせる場合には、判定手段１２はこれらのページ情報が異ならないものとして扱い、入力された投稿情報の登録を不可であると判定する。
【００２８】
例えば、ページのＵＲＩにアンカーやパラメータを付加した場合、実質的には同じページを示すものにもかかわらず、異なる文字列で記述されることがある。具体的に例を示すと、ＵＲＩ「ｈｔｔｐ：／／ｅｘａｍｐｌｅ．ｃｏｍ／ｐａｇｅ１」とＵＲＩ「ｈｔｔｐ：／／ｅｘａｍｐｌｅ．ｃｏｍ／ｐａｇｅ１＃ａｎｃｏｒ」とは同じページを特定するものであるが、後者はページ内の要素を更に指定しているため、異なる文字列で示される。
【００２９】
このような場合に、これらのページ情報を異なるものとして扱うと、実質的には同じページを示すページ情報を含む投稿情報が重複して登録されてしまう恐れがある。本実施形態においては、複数のページ情報が特定するウェブページが実質的に同一とみなせる場合にはページ情報が異ならない（同一である）と判定することにより、このような不都合を解消することができる。
【００３０】
表示手段１３は、ウェブページに関する情報をユーザに提示する閲覧画面を端末装置２において表示する為に、登録済みの投稿情報を表示処理し、処理結果を端末装置２に送信する。
【００３１】
記憶手段１４は、投稿手段１１によって登録された投稿情報や、ユーザ情報（図示せず）を記憶する。図２は本実施形態において記憶手段１４に登録される投稿情報の一例を示す図である。本実施形態における投稿情報は、投稿ＩＤと、投稿者であるユーザを特定する投稿者ＩＤと、ページ情報（ページＵＲＩ）と、投稿情報が登録された日を示す登録日情報（投稿日時）と、投稿の説明の情報と、投稿カテゴリ情報と、タグ情報と、当該投稿に対して受け付けられた感謝の数の情報と、後述の閲覧画面においてウェブページの情報を表示する為のＯＧＰ情報と、を含む。
【００３２】
本実施形態においては、ユーザが投稿情報の入力を行う為には、ユーザ登録を行った上でログインが必要な構成とする。これにより、各投稿の投稿者を特定でき、ユーザは後述のユーザ画面やタイムライン画面等を介して、特定の投稿者の投稿を閲覧すること等が可能になる。
【００３３】
なお、本実施形態においては、投稿情報として各投稿に対する感謝の数を記憶する構成を示すが、感謝を受け付けた日時と、対象の投稿の投稿ＩＤと、感謝をしたユーザのユーザＩＤと、を含む感謝のレコードを記憶する構成としてもよい。このように感謝を受け付けた日時を記憶することにより、各投稿に対して受け付けられた感謝の数を、集計期間を指定して算出することが可能になる。
【００３４】
端末装置２は、入力手段２１及び出力手段２２を備える。本実施形態においては、端末装置２がタッチパネルディスプレイを備え、入力手段２１及び出力手段２２を兼ねる構成を示す。また、端末装置２が更にマイクやスピーカーを備え、音声による入出力等が可能な構成としてもよい。
【００３５】
図３は、本実施形態における投稿情報の登録の流れを示すフローチャートである。まず、ステップＳ１において、端末装置２において表示される新規投稿画面を介して、投稿手段１１がユーザからの投稿情報の入力を受け付ける。図４は、新規投稿画面の表示例である。新規投稿画面Ｗ１は、投稿情報入力部Ｗ１１と、投稿ボタンＷ１２と、を備える。
【００３６】
ユーザは投稿情報入力部Ｗ１１を介して、投稿するＵＲＩ（ページ情報）を含む投稿情報の入力を行う。本実施形態においては、これに加えて投稿の説明と、投稿カテゴリと、投稿につけるタグと、の入力を受け付ける。投稿カテゴリは予め設定された選択肢からユーザがひとつ選択し、タグは投稿に関するキーワードとなるような言葉をユーザが０〜複数入力する。タグについては予め設定して選択肢を与えてもよいし、ユーザが自由に入力できるような構成としてもよい。
【００３７】
ユーザが投稿ボタンＷ１２を操作すると、入力された投稿情報が情報共有サーバ１に送信され、ステップＳ２に進む。ステップＳ２においては、判定手段１２が入力された投稿情報の登録の可否を判定する。
【００３８】
図５は、判定手段１２による投稿情報の登録可否の判定処理の流れを示すフローチャートである。まず、ステップＳ２１において、入力されたページ情報を、記憶手段１４に登録済みの各投稿情報に含まれるページ情報と比較し、それらが同一であるか否かを調べる。本実施形態においては、前述の通り、ステップＳ１において入力された投稿情報におけるページ情報と登録済みのページ情報とが実質的に同一とみなせる場合には、これらのページ情報が同一であると判定する。ただし、本発明はこの構成に限定されるものではなく、入力されたページ情報と登録済みのページ情報とが完全に同一である場合にのみ、これらのページ情報が同一であると判定するように変更してもよい。
【００３９】
ここで、本実施形態においては、登録済みの投稿情報における登録日情報に基づいて、所定期間内に登録された投稿情報を対象に、ページ情報が異なるか否かの判定を行う。なお、本実施形態においては、登録日だけでなく登録の時刻（投稿日時）を記憶し、これに基づいて所定期間内に登録された投稿情報を抽出する。本実施形態においては所定期間を２４時間とし、ステップＳ１において入力を受け付けるまでの２４時間以内に登録された投稿情報を対象に判定を行う。即ち、入力されたページ情報と同一のページ情報を含む投稿情報が登録されている場合であっても、その投稿情報が登録された時から所定期間が経過している場合には、入力されたページ情報との比較は行われない。
【００４０】
ただし、本発明はこの構成に限定されるものではない。例えば、登録済みの全ての投稿情報についてページ情報が異なるか否かの判定を行い、入力されたページ情報と同一のページ情報を含む投稿情報が登録されていた場合に、更に当該投稿情報の登録日（投稿日時）が所定期間内であるか否かを判定して、登録の可否を判定する構成としてもよい。
【００４１】
なお、本実施形態においては、登録された時からの経過時間に関わらず、同一ユーザによる同一ＵＲＩの投稿は受け付けないものとするが、他のユーザと同様に、所定期間の経過後には、同一ＵＲＩについて再び投稿することができる構成としてもよい。
【００４２】
このように、登録されてから所定期間が経過したページ情報については、他のユーザによる再投稿が可能な構成とすることで、より人気の高いユーザや投稿の説明がわかりやすいユーザが同じページについて投稿することができるようになり、投稿者の人気が低いこと等により有用な情報が埋もれてしまうリスクを低減する効果が期待できる。
【００４３】
例えば、本実施形態においては、他のユーザをフォローして、後述のタイムライン画面においてフォロー中のユーザの投稿を確認することができるが、フォロワーの少ないユーザによる投稿は、あまり多くのユーザに閲覧されない場合がある。このような場合であっても、所定期間（本実施形態においては２４時間）の経過後に他のユーザが投稿することができるため、よりフォロワーの多いユーザによって再投稿されることで、情報の埋没を防ぐ効果が期待できる。
【００４４】
ステップＳ２１において、入力されたページ情報と同一のページ情報を含む投稿情報が登録されていた場合には（ステップＳ２２においてＹｅｓ）、ステップＳ２６に進む。ステップＳ２６においては、入力されたページ情報と同一のページ情報を含む登録済みの投稿情報において、カテゴリ情報が図３のステップＳ１において入力されたカテゴリ情報と同一であるか否かを判定手段１２が判定する。カテゴリ情報も同一であった場合にはステップＳ２７に進んで登録不可と判定し、処理を終了する。
【００４５】
ステップＳ２２において入力されたページ情報と同一のページ情報を含む投稿情報が所定期間内に登録されていなかった場合、又はステップＳ２６においてカテゴリ情報が異なっていた場合には、ステップＳ２３に進む。
【００４６】
ステップＳ２３においては、入力されたＵＲＩ（ページ情報）に基づいて、ウェブページにアクセスする。ここで、ウェブページへのアクセスに成功した場合（ステップＳ２４でＹｅｓ）には、ステップＳ２５に進む。ステップＳ２５においては、後述する閲覧画面においてウェブページの情報を表示する為の、ウェブページに設定されたＯＧＰ（Ｏｐｅｎ  Ｇｒａｐｈ  Ｐｒｏｔｏｃｏｌ）の画像や説明文の情報を取得し、入力された投稿情報を登録可と判定する。
【００４７】
ただし、ステップＳ２３〜ステップＳ２４におけるウェブページへのアクセスや、ステップＳ２６におけるカテゴリ情報に関する判定は本発明に必須の構成ではなく、適宜省略してもよい。例えば、ステップＳ２６を省略し、入力されたページ情報と同一のページ情報を含む投稿情報が登録されているか否かのみを判定する構成としてもよい。
【００４８】
また、ここでは入力されたページ情報と同一のページ情報を含む投稿情報が登録されている場合に、ステップＳ２６においてカテゴリ情報が異なるか否かを判定する構成を示したが、判定時に行われる処理の順序等は適宜変更してもよい。例えば、ステップＳ２１において、入力されたカテゴリ情報と同一のカテゴリ情報を含む投稿情報を対象に、ページ情報が異なるか否かの判定を行う構成としてもよい。
【００４９】
以上のようにしてステップＳ２における判定が完了すると、図３の処理に戻り、ステップＳ３に進む。入力された投稿情報が登録可（ステップＳ３においてＹｅｓ）である場合には図３のステップＳ４に進み、入力された投稿情報を記憶手段１４に登録して処理を終了する。本実施形態においては、ステップＳ２５及びステップＳ４においてＯＧＰ情報及び現在時刻をそれぞれ取得し、取得した情報に基づいてＯＧＰ情報及び投稿日時を含む投稿情報を作成して登録する。登録不可（ステップＳ３においてＮｏ）である場合には、ステップＳ５に進む。
【００５０】
ステップＳ５においては、表示手段１３がエラー内容を表示処理し、新規投稿画面Ｗ１を介してその旨をユーザに通知する。図６は、新規投稿画面Ｗ１におけるエラーの表示例である。ここに示すように、ステップＳ５において表示される新規投稿画面Ｗ１は、エラー表示部Ｗ１３を備える。図６においては、図４の内容で投稿情報が登録された後に、他のユーザが同じページ情報を入力し、投稿ボタンＷ１２を操作した場合の表示例を示す。このように、エラー表示部Ｗ１３において、ユーザが入力したページ情報が他のユーザによって投稿済みであり、所定期間（本例においては２４時間）内には同一のページ情報を投稿することができない旨が表示される。本実施形態においては、エラーが生じている項目（図４における「投稿するＵＲＩ」）が他の項目とは識別可能に表示され、エラー内容をユーザが認識しやすいようになっている。
【００５１】
なお、各ユーザの投稿回数には上限を設定してもよい。本実施形態においては、１日に３回までとする。このように投稿回数に上限を設定することにより、ユーザが投稿内容を吟味して投稿するようになり、投稿内容の質が向上する効果が期待できる。
【００５２】
図３の処理によって入力した投稿情報が登録されると、表示手段１３が登録された投稿情報を表示処理し、端末装置２において投稿の閲覧画面を表示する。図７は、閲覧画面の表示例を示す図である。ここに示すように、閲覧画面Ｗ２は、投稿表示部Ｗ２１を備えている。投稿表示部Ｗ２１は、ページ情報表示部Ｗ２２と、感謝ボタンＷ２３と、説明表示部Ｗ２４と、を含む。
【００５３】
ページ情報表示部Ｗ２２は、ページ情報によって特定されるウェブページの情報を表示する。本実施形態においては、ページ情報として入力されたＵＲＩによって特定されるウェブページにアクセスして取得した情報に基づいて表示される。具体的には、図５のステップＳ２５において取得した、ウェブページに設定されたＯＧＰの画像や説明文を表示する。本実施形態においては、ユーザがページ情報表示部Ｗ２２の画像部分又は「続きを見る」の部分をクリックすると、ページ情報によって特定されるウェブページに移動することができる。
【００５４】
なお、本実施形態においては、図２のステップＳ２５において取得されたＯＧＰ情報を各投稿に紐づけて記憶しておき、記憶されたＯＧＰ情報を表示手段１３が表示処理することで端末装置２においてページ情報表示部Ｗ２２を表示する構成を示したが、本発明はこの構成に限定されるものではない。例えば、閲覧画面Ｗ２を表示する為の表示処理を行う際に、その都度投稿情報に含まれるページ情報に基づいてウェブページにアクセスし、ＯＧＰ情報を取得してページ情報表示部Ｗ２２を表示してもよい。
【００５５】
感謝ボタンＷ２３がクリックされると、当該投稿に対する感謝が受け付けられる。本実施形態においては、記憶手段１４に登録された投稿情報は、投稿に対して受け付けられた感謝の数を含み、感謝が受け付けられると投稿情報における感謝の数を加算する。本実施形態においては、感謝ボタンＷ２３は、当該投稿情報の投稿者以外のユーザがログインしている場合に操作可能に表示され、ログインしていないユーザや投稿者自身は、投稿に対して感謝ボタンＷ２３を操作することはできない。
【００５６】
なお、各ユーザが「感謝」できる回数には上限を設けてもよく、本実施形態においては１日につき３回までとする。このように、各ユーザが「感謝」できる回数に上限を設けることにより、１回の感謝の価値を高め、投稿の評価指標としての信頼性を向上させる効果が期待できる。
【００５７】
説明表示部Ｗ２４は、投稿情報に含まれる投稿の説明の情報等に基づいて、投稿者によって入力された説明等が表示される。
【００５８】
また、本実施形態における情報共有システムによって表示される画面は、各画面において共通して表示されるヘッダ部Ｈを備えており、ヘッダ部Ｈは、投稿閲覧ボタンＨ１（図示例における「読む」）と、新規投稿ボタンＨ２（図示例における「投稿」）と、アカウントボタンＨ３（図示例における「アカウント」）と、を備える。新規投稿ボタンＨ２が選択されると、新規投稿画面Ｗ１が表示され、図３に示した新規投稿の受け付けが開始される。
【００５９】
ユーザが投稿閲覧ボタンＨ１を選択すると、投稿の閲覧方法の選択肢が表示され、ユーザによる選択を受け付ける。図８は、投稿ランキングによる閲覧が選択された場合に表示される、ランキング画面Ｗ３の表示例を示す図である。ランキング画面Ｗ３においては、登録済みの投稿が、感謝の数が多い順に表示される。本実施形態においては、投稿ごとに、順位と、感謝の数と、投稿者と、投稿の説明と、投稿日の目安と、が表示される。
【００６０】
本実施形態においては、ランキング画面Ｗ３はカテゴリ選択部Ｗ３１及び集計期間選択部Ｗ３２を備え、ユーザは予め設定されたカテゴリ及び集計期間の選択肢から選択することにより、所望のカテゴリのランキングを確認できる。なお、本実施形態においては、ログイン中のユーザの投稿については投稿の編集のためのリンクが表示されており、「編集」の文字をクリックすることで、投稿の編集を行うことができる。図示例においては、「花子」というユーザがログインしている状態において表示されるランキング画面Ｗ３を示す。後述の新着投稿表示画面及びタイムライン画面においても同様である。
【００６１】
また、本実施形態においては、閲覧方法として、投稿ごとのランキングのみでなく、ユーザごとの感謝の数のランキング画面（図示せず）による閲覧を選択することができる。ユーザごとの感謝の数は、各ユーザが入力した１又は複数の投稿情報に対する感謝の数の合計とし、ユーザごとに、順位と、感謝の数と、を表示すればよい。
【００６２】
なお、本実施形態においては、投稿情報が、投稿に対して受け付けられた感謝の総数を含み、これに基づいてランキング画面が表示されるが、ランキング画面の表示の際の処理は任意に変更してよい。例えば、各投稿に対するカテゴリや集計期間に対応した各種の感謝の数のランキング情報を記憶して随時更新し、このランキング情報を表示手段１３が表示処理して処理結果を送信することで、投稿ごとのランキング画面Ｗ３やユーザごとのランキング画面を端末装置２において表示してもよい。この他、記憶手段１４が感謝のレコードを記憶する場合には、端末装置２を介して表示要求を受け付けるたびに感謝のレコードを参照し、その都度感謝の数を集計して表示処理を行うことで表示してもよい。
【００６３】
また、閲覧方法として新着投稿の閲覧が選択された場合には、図９に示す新着投稿表示画面Ｗ４が表示される。新着投稿表示画面Ｗ４においては、登録済みの投稿が、新着順に表示される。本実施形態においては、投稿ごとに、投稿者と、投稿の説明と、投稿日の目安と、が表示される。新着投稿表示画面Ｗ４は、ランキング画面Ｗ３と同様にカテゴリ選択部Ｗ４１を備え、ユーザは所望のカテゴリを選択して新着投稿の閲覧を行うことができる。
【００６４】
本実施形態において、ランキング画面Ｗ３、新着投稿表示画面Ｗ４、及び後述のタイムライン画面等において、各投稿のユーザ名をクリックすると、当該ユーザの全投稿を確認可能なユーザ画面が表示される。図１０は、ユーザ画面Ｗ５の表示例を示す図である。ここに示すように、本実施形態におけるユーザ画面は、フォローボタンＷ５１（図１０における「フォローする」）を備える。
【００６５】
他のユーザを「フォロー」することにより、フォローしたユーザの新着投稿をタイムライン画面において確認できるようになる。図１１は、本実施形態におけるタイムライン画面Ｗ６の表示例を示す図である。タイムライン画面Ｗ６においては、ログイン中のユーザの投稿及び当該ユーザがフォローしているユーザの投稿が新着順に表示される。ユーザは、ヘッダ部ＨにおけるアカウントボタンＨ３を選択し、タイムラインによる投稿の閲覧を指定することにより、タイムライン画面Ｗ６を表示させることができる。
【００６６】
以上のように、本実施形態における情報共有システムによれば、ひとつのページ情報につきひとつの投稿情報のみを登録することで、同一の情報が重複して共有されてしまうことを防ぎ、有用な情報が埋もれてしまう事態を避ける効果が期待できる。
【００６７】
また、投稿に対して、投稿者以外のユーザから「感謝」を受け付けることにより、ユーザは「感謝」の数によって投稿の価値を判断することができる。また、ひとつのページ情報についてひとつの投稿のみが共有されるため、有用な情報を迅速に共有した投稿者が必然的に多くの「感謝」を得ることになり、最先の投稿者にインセンティブを与えることができる。これにより、情報を必要とする人物に素早く情報が共有される効果が期待できる。
【００６８】
また、投稿情報の登録から所定期間の経過後には、同一のページ情報について再度投稿を受け付けることにより、投稿者の人気や説明能力の低さによって、有用な情報が埋もれてしまうリスクを低減することができる。
【符号の説明】
【００６９】
１  情報共有サーバ
１１  投稿手段
１２  判定手段
１３  表示手段
１４  記憶手段
２  端末装置
２１  入力手段
２２  出力手段
ＮＷ  ネットワーク
Ｗ１  新規投稿画面
Ｗ１１  投稿情報入力部
Ｗ１２  投稿ボタン
Ｗ１３  エラー表示部
Ｗ２  閲覧画面
Ｗ２１  投稿表示部
Ｗ２２  ページ情報表示部
Ｗ２３  感謝ボタン
Ｗ２４  説明表示部
Ｗ３  ランキング画面
Ｗ３１  カテゴリ選択部
Ｗ３２  集計期間選択部
Ｗ４  新着投稿表示画面
Ｗ４１  カテゴリ選択部
Ｗ５  ユーザ画面
Ｗ５１  フォローボタン
Ｗ６  タイムライン画面
Ｈ  ヘッダ部
Ｈ１  投稿閲覧ボタン
Ｈ２  新規投稿ボタン
Ｈ３  アカウントボタン
【図１】
2019194771.tif 000003
【図２】
2019194771.tif 000004
【図３】
2019194771.tif 000005
【図４】
2019194771.tif 000006
【図５】
2019194771.tif 000007
【図６】
2019194771.tif 000008
【図７】
2019194771.tif 000009
【図８】
2019194771.tif 000010
【図９】
2019194771.tif 000011
【図１０】
2019194771.tif 000012
【図１１】
2019194771.tif 000013
【手続補正書】
【提出日】平成30年5月8日(2018.5.8)
【手続補正１】
【補正対象書類名】図面
【補正対象項目名】図８
【補正方法】変更
【補正の内容】
【図８】
2019194771.tif 000014
【手続補正２】
【補正対象書類名】図面
【補正対象項目名】図９
【補正方法】変更
【補正の内容】
【図９】
2019194771.tif 000015
【手続補正３】
【補正対象書類名】図面
【補正対象項目名】図１０
【補正方法】変更
【補正の内容】
【図１０】
2019194771.tif 000016
【手続補正４】
【補正対象書類名】図面
【補正対象項目名】図１１
【補正方法】変更
【補正の内容】
【図１１】
2019194771.tif 000017